(57)【要約】【解決手段】無線通信システムは、基地局（１０４）及び遠隔局（１０２）を含む。基地局は、周波数のうちの割り当てられたセットにパイロットを送る。遠隔局は、チャネルを推定し、基地局へそれを報告する。更に基地局は、割り当てられた周波数のサブセットを選択し、パケットデータを遠隔局へ並列に送信する。パケットデータはそれぞれ、遠隔局を識別するヘッダフィールドで始まる。同時に、基地局は、選択されたサブセット以外の周波数でパイロットを送る。遠隔局は、パケットデータ及びパイロットを受信し、パイロットに対応するチャネルを繰り返し戻す。これによって、送信機は、推定された新たな周波数チャネルへ周波数ホップすることができる。【選択図】      図６
2008515360.tif 000002
【特許請求の範囲】
【請求項１】
無線通信システム用の遠隔局であって、
前記遠隔局を、パケットデータの受信者として識別するヘッダフィールドが先行するパケットデータを、キャリア周波数のサブセットで並行して受信するように構成されたフロントエンド構造を備え、
前記キャリア周波数のサブセットは、複数のキャリア周波数のうち対応する数のセットに基づく遠隔局。
【請求項２】
前記フロントエンド構造は更に、複数のキャリア周波数のうち対応する数のセットで、複数のビーコン信号を並行して受信し、各ビーコン信号に基づいてチャネル品質を測定し、
前記測定されたチャネル品質を送るように構成された請求項１の遠隔局。
【請求項３】
前記フロントエンド構造は、並列配置された複数の受信機を含み、各受信機は、前記複数のキャリア周波数のセットのうちの１つをそれぞれ受信するように構成された請求項２の遠隔局。
【請求項４】
前記複数のキャリア周波数のセットを並行して受信するように構成された単一の受信機を備える請求項２の遠隔局。
【請求項５】
各ヘッダフィールドは、前記パケットデータの長さに関連する情報を含む請求項２の遠隔局。
【請求項６】
前記複数の受信機は、第１のグループの受信機と、第２のグループの受信機とを含み、前記第１のグループの受信機は、前記キャリア周波数のサブセットで、前記パケットデータを並行して受信するように構成され、前記第２のグループの受信機の各々は、別のキャリア周波数へホップするように構成された請求項３の遠隔局。
【請求項７】
前記単一の受信機は、前記キャリア周波数のサブセットで前記パケットデータを並行して受信し、他のキャリア周波数へホップするように構成された請求項４の遠隔局。
【請求項８】
遠隔局を含む無線通信システムのための装置であって、
ビーコン信号を運ぶキャリア周波数のセットを、前記遠隔局への送信のために選択し、前記ビーコン信号に基づいて、前記遠隔局から複数のチャネル品質報告を受信し、前記チャネル品質報告に基づいて、前記キャリア周波数のセットから、キャリア周波数のサブセットを選択するように構成された制御プロセッサを備え、
前記キャリア周波数のサブセットは、パケットデータを並行して前記遠隔局へ運び、各パケットデータの前には、前記遠隔局を、前記パケットデータの受信者として識別するヘッダフィールドが先行する装置。
【請求項９】
各ヘッダフィールドは、前記パケットデータの長さに関連する情報を含む請求項８の装置。
【請求項１０】
基地局コントローラである請求項９の装置。
【請求項１１】
基地局である請求項９の装置。
【請求項１２】
無線通信システムによって遠隔局上でパケットデータを受信する方法であって、
キャリア周波数のセットを規定している個別のキャリア周波数でそれぞれ受信される複数のビーコン信号を、並行して受信することと、
各ビーコン信号に基づいてチャネル品質を測定することと、
各測定されたチャネル品質を送信することと、
各測定されたチャネル品質を送信した後、キャリア周波数のサブセットでパケットデータを並行して受信することとを含み、
各パケットデータの前には、前記遠隔局を、前記パケットデータの受信者として識別するヘッダフィールドが先行し、前記キャリア周波数のサブセットは、前記キャリア周波数のセットに基づく方法。
【請求項１３】
前記キャリア周波数のサブセットで前記パケットデータを受信しながら、他のキャリア周波数にホップすることを含む請求項１２の方法。
【請求項１４】
計算機読取可能媒体であって、
前記計算機によって実行されると、前記計算機に
キャリア周波数のセットを規定している個別のキャリア周波数でそれぞれ受信される複数のビーコン信号を、並行して受信し、
各ビーコン信号に基づいてチャネル品質を測定し、
各測定されたチャネル品質を送信し、
各測定されたチャネル品質を送信した後、キャリア周波数のサブセットでパケットデータを並行して受信する動作を実行させる命令を含み、
各パケットデータの前には、前記遠隔局を、前記パケットデータの受信者として識別するヘッダフィールドが先行し、前記キャリア周波数のサブセットは、前記キャリア周波数のセットに基づく計算機読取可能媒体。
【請求項１５】
前記キャリア周波数のサブセットで前記パケットデータを受信しながら、他のキャリア周波数にホップすることを含む請求項１４の計算機読取可能媒体。
【請求項１６】
無線通信システム用の遠隔局であって、
複数のキャリア周波数のうち対応する数のセットで、複数のビーコン信号を並行して受信する手段と、
各ビーコン信号に基づいてチャネル品質を測定する手段と、
前記測定されたチャネル品質を送る手段と、
キャリア周波数のサブセットでパケットデータを並行して受信する手段とを備え、
各パケットデータの前には、前記遠隔局を、前記パケットデータの受信者として識別するヘッダフィールドが先行し、前記キャリア周波数のサブセットは、複数のキャリア周波数のうち対応する数のセットに基づく遠隔局。
【請求項１７】
他のキャリア周波数にホップする手段と、
前記他のキャリア周波数でパケットデータを並行して受信する手段とを備え、
各パケットデータの前には、前記遠隔局を、前記パケットデータの受信者として識別するヘッダフィールドが先行する請求項１６の遠隔局。
【請求項１８】
遠隔局を含む無線通信システム用の装置であって、
ビーコン信号を運ぶためのキャリア周波数のセットを、遠隔局への送信のために選択する手段と、
前記ビーコン信号に基づいて、前記遠隔局から複数のチャネル品質報告を受信する手段と、
前記チャネル品質報告に基づいて、前記キャリア周波数のセットからキャリア周波数のサブセットを選択する手段とを備え、
前記キャリア周波数のサブセットは、前記遠隔局へパケットデータを並行して運び、各パケットデータの前には、前記遠隔局を、前記パケットデータの受信者として識別するヘッダフィールドが先行する装置。
【請求項１９】
基地局コントローラである請求項１８の装置。
【請求項２０】
基地局である請求項１８の装置。
【請求項２１】
無線遠隔局用の装置であって、
前記無線遠隔局を、パケットデータの受信者として識別するヘッダフィールドが先行するパケットデータを、キャリア周波数のサブセットで並行して受信するように構成されたフロントエンド構造を備え、
前記キャリア周波数のサブセットは、複数のキャリア周波数のうちの対応する数のセットに基づく装置。
【請求項２２】
前記フロントエンド構造は更に、複数のキャリア周波数のうち対応する数のセットで、複数のビーコン信号を並行して受信し、各ビーコン信号に基づいてチャネル品質を測定し、
前記測定されたチャネル品質を送るように構成された請求項２１の装置。
【請求項２３】
前記フロントエンド構造は更に、他のキャリア周波数にホップし、前記他のキャリア周波数でパケットデータを並行して受信するように構成され、
各パケットデータの前には、前記無線遠隔局を、前記パケットデータの受信者として識別するヘッダフィールドが先行する請求項２２の装置。
【発明の詳細な説明】
【技術分野】
【０００１】
本発明は、一般に、無線通信に関し、特に、セルラ無線通信に関する。
【背景技術】
【０００２】
通信分野は、例えばページング、無線ローカルループ、インターネット電話通信、及び衛星通信システムを含む多くの用途を持つ。典型的な用途は、モバイル加入者用のセルラ電話システムである。（本明細書で使用されるように、用語「セルラ」システムは、セルラ及びパーソナル通信サービス（ＰＳＣ）システム周波数の両方を含む。）複数のユーザが共通の通信媒体にアクセスできるように設計されている無線通信システムのような現代の通信システムは、そのようなセルラシステムのために開発された。これら現代の通信システムは、符号分割多元接続（ＣＤＭＡ）、時分割多元接続（ＴＤＭＡ）、周波数分割多元接続（ＥＤＭＡ）、空間分割多元接続（ＳＤＭＡ）、分極分割多元接続（ＰＤＭＡ）あるいは当該技術において周知の他の変調技術のような多元接続技術に基づきうる。これらの変調技術は、通信システムにおける複数のユーザから受信した信号を復調する。これによって、通信システムの容量の増加を可能にする。これに関連して、例えば、先進移動電話サービス（ＡＭＰＳ）、モバイル通信用グローバルシステム（ＧＳＭ）、及びその他の無線システムを含む様々な無線通信システムが確立された。
【０００３】
ＦＤＭＡシステムでは、周波数スペクトル全体が、多くのより小さなサブバンドに分割される。そして、各ユーザは、通信媒体にアクセスするために、それ自身のサブバンドが与えられる。一方、ＴＤＭＡシステムでは、周波数スペクトル全体が多くのより小さなサブバンドに分割され、各サブバンドは、多くのユーザで共有され、各ユーザは、そのサブバンドを使用して、予め定めた時間スロット内で送信することが許される。ＣＤＭＡシステムは、増加したシステム容量を含め、他のタイプのシステムに対して潜在的な長所を備えている。ＣＤＭＡシステムでは、ユーザはそれぞれ、時間全体に対して周波数スペクトル全体が与えられるが、ユニークなコードの使用によって、その送信を区別する。
【０００４】
周波数ホッピングは、時間にわたる周波数ダイバーシティを提供するために多くの通信システムで使用されている技術である。周波数ホッピングシステムは、全ての送信ユニット、すなわちスロット中に、異なる（通常は、狭帯域）キャリア（ここでは、「キャリア周波数」とも称される）で送信する。適用されているキャリアのシーケンス（ホッピングシーケンス）は通常、周波数選択的なフェージングをうまく取り除くために、不連続な周波数間のホップが行われるようになっている。周波数ホッピングを使用するシステムの一例は、ＧＳＭ／ＧＰＲＳ／ＥＤＧＥである（ＧＥＲＡＮとも称される）。
【０００５】
信号強度測定を含むチャネル品質推定は、高速フィードバックシステムを適用するシステムの主要な特徴のうちの１つである。これは、マルチユーザダイバーシティを利用する。そのようなシステムでは、受信機は、幾つかの予め定められた数的指標（例えば、Ｃ／Ｉ強度）に従って、基地局からの受信品質を推定する。これは一般に、ビーコン又はパイロットが測定された後に行われる。このビーコン又はパイロットは、基地局によって非断続的（ＣＤＭ又は符号分割多重）又は断続的（ＴＤＭ又は時分割多重）に送信される。受信機は、測定された品質を、適切なメッセージあるいは表示とともにて基地局へ報告する。そして、基地局は、後の送信をスケジュールするために、ネットワーク自体によって使用されているスケジューリングアルゴリズムの詳細に基づく方法で、この情報を活用することができる。特に、ネットワークは、最良のチャネル条件（マルチユーザダイバーシティ）を受けている、あるいは選択されたユーザのチャネル条件に対する変調及び符号化を適用している（高速リンク適用）ユーザに対する送信をスケジュールするために、この情報を使用することができる。
【０００６】
上述したメカニズムは、一般に、システムが同じキャリアを使用するという事実に依存する。言い換えれば、受信機によって行なわれるこの測定処理は、後にスケジュールされる送信のために使用されるのと同じ周波数上で起こる。これは、スケジューリング処理が、受信した報告を考慮することができる要求のうちの１つである。この要求は、ほとんどの周波数ホップシステムで満足されることはない。そのようなシステムでは、ビーコン測定及びスケジュールされた送信は、多くの場合、個別の、関連性のないキャリア上にあるだろう。チャネルが関連付けられても（チャネルコヒーレンス帯域幅内でホップしても）、干渉は、あるキャリアと別のキャリアとでは劇的に異なりうる。したがって、スケジューリング処理を報告することは、フェージング／干渉の選択を活用することはできず、対応するゲインを与える。そのような制限は図８に例示されている。ここでは、遠隔局の受信機が、フレーム２のキャリア１でデータ８００を受信し、次に、データ８０２を受信するために、フレーム２のキャリア２にホップする。
【発明の開示】
【０００７】
本特許出願は、本願の譲受人に譲渡され、本明細書に参照によって明確に組み込まれた２００４年１０月１日出願の"Advance Hopping and Selection Scheme for GERAN"と題された仮出願６０／６１５，２３５号の優先権を主張する。
【０００８】
１つの局面では、無線通信システム用の遠隔局が開示される。この遠隔局は、キャリア周波数のサブセットで、パケットデータを並行して受信するように構成されたフロントエンド構造を含む。各パケットの前には、パケットデータの受信者として遠隔局を識別するためのヘッダフィールドが先行し、キャリア周波数のサブセットは、複数のキャリア周波数のうちの対応する数からなるセットに基づく。
【０００９】
別の局面では、遠隔局を含む無線通信システム用の装置が開示される。この装置は、制御プロセッサを含む。この制御プロセッサは、それぞれがビーコン信号を搬送するキャリア周波数であって、遠隔局への送信のためのキャリア周波数のセットを選択し、ビーコン信号に基づいて、遠隔局から、複数のチャネル品質報告を受信し、チャネル品質報告に基づいて、キャリア周波数のセットから、キャリア周波数のサブセットを選択するように構成されている。キャリア周波数のサブセットは、パケットデータを並行して遠隔局へ搬送し、各パケットデータの前には、パケットデータの受信者として遠隔局を識別するヘッダフィールドが先行する。
【００１０】
また、別の局面では、無線通信システムによって、遠隔局においてパケットデータを受信する方法が開示される。この方法は、キャリア周波数のセットを規定している個別のキャリア周波数で、それぞれが受信される複数のビーコン信号を並行して受信することと、各ビーコン信号に基づいてチャネル品質を測定することと、各測定されたチャネル品質を送信することと、各測定されたチャネル品質を送信した後に、キャリア周波数のサブセットでパケットデータを並行して受信することとを含む。各パケットデータの前には、パケットデータの受信者として遠隔局を識別するヘッダフィールドが先行する。キャリア周波数のサブセットは、キャリア周波数のセットに基づく。
【００１１】
また、別の局面では、計算機によって実行されると、計算機に動作を実行させる命令を含む計算機読取可能媒体が開示される。これら動作は、キャリア周波数のセットを規定している個別のキャリア周波数で、それぞれが受信される複数のビーコン信号を並行して受信することと、各ビーコン信号に基づいてチャネル品質を測定することと、各測定されたチャネル品質を送信することと、各測定されたチャネル品質を送信した後に、キャリア周波数のサブセットでパケットデータを並行して受信することとを含む。各パケットデータの前には、パケットデータの受信者として遠隔局を識別するヘッダフィールドが先行する。キャリア周波数のサブセットは、キャリア周波数のセットに基づく。
【００１２】
また別の局面では、無線通信システム用の遠隔局が開示される。この遠隔局は、複数のキャリア周波数のうちの対応する数で、複数のビーコン信号を並行して受信する手段と、各ビーコン信号に基づいてチャネル品質を測定する手段と、測定されたチャネル品質を送る手段と、キャリア周波数のサブセットで並行してパケットデータを受信する手段とを含む。各パケットデータの前には、パケットデータの受信者として遠隔局を識別するヘッダフィールドが先行する。キャリア周波数のサブセットは、複数のキャリア周波数のうち対応する数のセットに基づく。
【００１３】
また、別の局面では、遠隔局を含む無線通信システム用の装置が開示される。この装置は、それぞれがビーコン信号を搬送するキャリア周波数であって、遠隔局への送信のためのキャリア周波数のセットを選択する手段と、ビーコン信号に基づいて、遠隔局から、複数のチャネル品質報告を受信する手段と、チャネル品質報告に基づいて、キャリア周波数のセットから、キャリア周波数のサブセットを選択する手段とを含む。キャリア周波数のサブセットは、パケットデータを並行して遠隔局へ搬送し、各パケットデータの前には、パケットデータの受信者として遠隔局を識別するヘッダフィールドが先行する。
【００１４】
また、別の局面では、無線遠隔局用の装置が開示される。この装置は、キャリア周波数のサブセットで、パケットデータを並行して受信するように構成されたフロントエンド構造を含む。各パケットの前には、パケットデータの受信者として無線遠隔局を識別するためのヘッダフィールドが先行する。キャリア周波数のサブセットは、複数のキャリア周波数のうち対応する数のセットに基づく。
【発明を実施するための最良の形態】
【００１５】
用語「典型的」は、本明細書では、「一例、イラスト、又は例示として役立つ」ことを意味するために使用される。本明細書で「典型的」と記述されたいかなる実施形態も、他の実施形態に対して好適であるとか有利であるとか必ずしも解釈される必要はない。
【００１６】
アクセス端末（ＡＴ）、ユーザ機器、又は加入者ユニットとしても知られている遠隔局は、移動式あるいは固定式であり、基地トランシーバ局又はノードＢとしても知られている１又は複数の基地局と通信する。遠隔局は、１又は複数の基地局を介して、ラジオネットワークコントローラ（ＲＮＣ）としても知られている基地局コントローラとの間と、データパケットを送受信する。基地局及び基地局コントローラは、アクセスネットワークと呼ばれるネットワークの一部である。アクセスネットワークは、複数の遠隔局間でデータパケットを運ぶ。アクセスネットワークは更に、企業イントラネット又はインターネットのように、アクセスネットワーク外部の追加ネットワークに接続され、各遠隔局とそのような外部ネットワークとの間でデータパケットを伝送する。１又は複数の基地局とのアクティブなトラフィックチャネルを確立した遠隔局はアクティブ遠隔局と称され、トラフィック状態にあると言われる。１又は複数の基地局とのアクティブなトラフィックチャネル接続を確立する過程にある遠隔局は、接続セットアップ状態にあると言われる。遠隔局は、無線チャネルを介して通信するあらゆるデータデバイスでありうる。遠隔局は更に、限定される訳ではないが、ＰＣカード、コンパクトフラッシュ（登録商標）、外部又は内部モデム、あるいは無線電話を含む多くの種類のデバイスのうちの何れかでありうる。遠隔局が基地局へ信号を送る通信リンクは、アップリンクと呼ばれ、逆方向リンクとしても知られている。基地局が遠隔局へ信号を送る通信リンクは、ダウンリンクと呼ばれ、順方向リンクとしても知られている。
【００１７】
図１に関し、典型的な無線通信システム１００は、１又は複数の遠隔局（ＲＳ）１０２、１又は複数の基地局（ＢＳ）１０４、１又は複数の基地局コントローラ（ＢＳＣ）１０６、及びコアネットワーク１０８を含む。コアネットワークは、適切なバックホールを経由して、インターネット１１０、及び公衆交換電話網（ＰＳＴＮ）１１２に接続されうる。無線通信システム１００は、符号分割多元接続（ＣＤＭＡ）、時分割多元接続（ＴＤＭＡ）、周波数分割多元接続（ＦＤＭＡ）、空間分割多元接続（ＳＤＭＡ）、分極分割多元接続（ＰＤＭＡ）、又は当該技術分野で周知の他の変調技術のような、多くの多元接続技術のうちの任意の１つを用いる。
【００１８】
図２Ａ及び図６に示すように、１つの実施形態では、無線通信システム１００用の遠隔局１０２が示されている。遠隔局１０２は、キャリア周波数（例えばキャリア１、３、及びＮ）のサブセットで、パケットデータ６０４を並行して受信するように構成されたフロントエンド構造２００を含む。各パケットデータの前には、遠隔局１０２をパケットデータ６０４の受信者として識別するヘッダフィールド６０２が先行し、キャリア周波数のサブセットは、複数のキャリア周波数のうちの対応する数からなるセット（例えば、キャリア１，・・・，キャリアＮ）に基づく。
【００１９】
図２Ａを用いて更に説明するように、フロントエンド構造２００は更に、複数のキャリア周波数のうちの対応する数（キャリア１，・・・，キャリアＮ）で、複数のビーコン信号６００を並行して受信し、各ビーコン信号に基づいてチャネル品質を測定し、測定されたチャネル品質を送るように構成されている。１つの実施形態では、測定されたチャネル品質は、基地局へ送られる。遠隔局１０２は、無線通信のために、送信機２１４、復調器２１０、デコーダ２１２、及びアンテナ２１６を含んでいる。遠隔局に一般に含まれる制御プロセッサ、変調器、エンコーダ等の他の機能ブロックは、本発明の局面の説明を単純化するために示されない。フロントエンド構造２００は、Ｎ個の複数の受信機２０２，２０４を含む。これらは、Ｎ個の複数のチャネル品質測定ユニット２０６，２０８に並列に接続されている。なお、整数Ｎは、１より大きい。各受信機は、複数のキャリア周波数からなるセットのうちのそれぞれ１つを受信するように構成される。例えば、受信機１（２０２）は、図６に示すようなキャリア１を受信するように構成される。
【００２０】
図２Ｂに示すように、本発明の別の実施形態に従う遠隔局１０２Ａは、アンテナ２３０、受信機２２２を含むフロントエンド構造２２０、復調器２２４、デコーダ２２６、及び送信機２２８を含んでいる。１つの実施形態では、受信機２２２は、例えば、図６において、Ｎ個のキャリア周波数からなるセットとして示すように、複数のキャリア周波数からなるセットを並行して受信するように構成されている。後で詳しく説明するように、受信機２２２は、それぞれのキャリア周波数をフィルタリングし、適切なチャネル測定を行って各チャネルの品質を決定するための単一のデジタル受信機として適切に構成される。
【００２１】
図３及び図６に示すように、１つの実施形態では、遠隔局を含む無線通信システム用の装置が示されている。この装置は、遠隔局への送信のために、それぞれがビーコン信号６００を搬送するキャリア周波数（例えば、図６に示すＮ個のキャリア周波数）からなるセットを選択し、ビーコン信号に基づいて、遠隔局から、複数のチャネル品質報告を受信し、チャネル品質報告に基づいて、キャリア周波数のセットから、キャリア周波数からなるサブセット（例えば、図６に示すようなキャリア１，３，及びＮ）を選択するように構成された制御プロセッサ３０２を含む。ここで、キャリア周波数からなるサブセットは、パケットデータ６０４を遠隔局へ並行して搬送し、各パケットデータの前には、遠隔局を、パケットデータの受信者として識別するヘッダフィールド６０２が先行する。１つの実施形態では、この装置は、図３で示されるような基地局である。別の実施形態では、この装置は、基地局コントローラである。
【００２２】
図５には、処理５００のフロー図が、本発明の実施形態に従って示される。このような処理５００は、図３に示される制御プロセッサ３０２のような制御プロセッサによって実行されうる。処理５００は、５０２において、例えば遠隔局１０２又は１０２Ａ（図２Ａ、図２Ｂ参照）のような遠隔局へ送信するためのキャリア周波数を選択すること、及び、５０４において、遠隔局からチャネル品質報告又は測定値を受信することを含む。遠隔局によるキャリアのランキングも受信されうる。キャリアのランキング及び／又はチャネル品質報告の受信後、前述したように、受信したキャリアのランキング及び／又はチャネル品質報告に基づいて、キャリア周波数のサブセットが選択される。５０６では、キャリア周波数のサブセットが、パケットデータを遠隔局へ運ぶために使用される。
【００２３】
図４及び図６に示すように、処理４００のフロー図は、本発明の実施形態に従って示される。このような処理４００は、図２Ａに示される遠隔局１０２のような遠隔局によって実行されうる。４０２では、遠隔局１０２は、複数のキャリア周波数、すなわちキャリア１乃至Ｎからなるセットで運ばれた複数のビーコン又はパイロット信号６００を、フレーム１で受信する。４０４では、各ビーコン信号に関連したチャネル品質が、適切な数的指標によって測定され、フレーム２中において、この数的指標に従ってキャリアがランク付けされる。例えば、適切な数的指標は、チャネル品質インジケータ（ＣＱＩ）、又は干渉に対するキャリア信号強度の指標であるＣ／Ｉ比でありうる。４０６では、キャリアのランキング及び／又は測定されたチャネル品質が、基地局へ送信される。その後、４０８では、遠隔局１０２は、キャリア周波数のセットをモニタし続ける。４１０では、ヘッダフィールド６０２が検知されたか否かが判定される。ヘッダフィールド６０２が検知されない場合、遠隔局は、ビーコン信号６００を受信し続けうる。ヘッダフィールド６０２が検知される場合、４１２において、ヘッダフィールドに関連するキャリア周波数のサブセットでパケットデータ６０４が受信される。
【００２４】
１つの実施形態では、キャリア周波数のサブセット（例えばキャリア１，３，及びＮ）は、送信されたチャネル品質測定値に基づいてアクセスネットワークによって選択されたキャリアである。例えば、図６では、ヘッダフィールド６０２は、フレーム３内のキャリア１，３，及びＮで検知される。このようなヘッダフィールドは、遠隔局を、次のパケットデータ６０４の受信者として識別する制御情報を含む。更に、ヘッダフィールド６０２は、パケットデータ６０４の長さに関連する制御情報を含み、図６に示す実施形態では、各パケットデータ６０４の長さは、フレーム３とフレーム４の２つのフレームに及ぶ。フレーム４では、遠隔局１０２は、パケットデータ受信のために選択されたキャリア（すなわち、キャリア周波数のサブセット）にのみ着目する。パケットデータ受信と並行して、遠隔局１０２は、次のチャネル品質の報告を求めて、キャリアのセットで、ビーコン信号６００をモニタする。図６に示すように、ビーコン信号６００のこのようなモニタリングは、例えば基地局のようなアクセスネットワークによるビーコン信号６００の送信の周期性に依存して、例えばフレーム３において、上述したパケットデータ受信と並行してなされるか、あるいは、パケットデータ受信が完了した後になされる。次のチャネル品質の報告後、遠隔局１０２は、送信されたチャネル品質に基づいて、キャリア周波数の同一のサブセット、あるいは異なるサブセットでパケットデータを受信しうる。例えば、後のフレームでは、遠隔局１０２は、キャリア２，３及び４でヘッダフィールド６０２を検知するかもしれない。
【００２５】
図７には、本発明の実施形態に従った周波数ホッピングスキームが示される。ここでは、単に例示目的のために２つのキャリアが示されている。図２Ａ及び図２Ｂに示す遠隔局１０２又は１０２Ａのような遠隔局は、フレーム２中においてキャリア１で受信する。フレーム２中では、遠隔局は、予め定めた周波数ホッピングスキームに従ってキャリア２にホップし、キャリア２によってチャネル品質を測定し、このチャネル品質をアクセスネットワークに報告する。そして、アクセスネットワークは、測定されたチャネル品質に基づいて、パケットデータの次の送信を、キャリア２によって遠隔局へ送る。
【００２６】
周波数ホッピングスキームは、Ｎ個のキャリアまで拡張可能である。ここで、Ｎは、１より大きく、この実施形態は、図２Ａ及び図６を参照して説明される。図６に示すように、遠隔局１０２は、前に送信されたチャネル品質測定値に基づいて、先ず、キャリア１，３，及びＮでパケットデータを受信する。そのため、遠隔局１０２は、第１のグループの受信機（例えば、受信機１，３及びＮ）と、第２のグループの受信機（例えば、受信機２，４及び５）を含む。第１のグループの受信機は、キャリア周波数のサブセット（例えばキャリア１，３及びＮ）で並行してパケットデータを受信するように構成されている。更に、第２のグループの受信機の各々は、適切な周波数ホッピングシーケンスに従って別のキャリア周波数へホップするように構成されうる。例えば、受信機２は、図６に示されるキャリアセットの外側にあるキャリアＮ＋１にホップし、その新たなキャリアについてチャネル推定を実行するように構成されうる。本発明の別の実施形態に従って、遠隔局１０２Ａの受信機２２２は、キャリア周波数のサブセットでパケットデータを並行して受信し、図６に示すようなキャリアセットの外側にある別のキャリア周波数にホップし、これら新たなキャリアに関するチャネル推定を実行するように構成されうる。
【００２７】
本発明の別の局面では、計算機によって実行されると、この計算機に動作を実行させる命令を含む計算機読取可能媒体が開示される。これら動作は、複数のビーコン信号を並行して受信することを含む。ここで、各ビーコン信号は、個別のキャリア周波数で受信され、個別のキャリア周波数は、キャリア周波数からなるセットを規定する。またこれら動作は更に、各ビーコン信号に基づいてチャネル品質を測定することと、測定された各チャネル品質を送信することと、測定された各チャネル品質の送信後、キャリア周波数のサブセットで、パケットデータを並行して受信することとを含む。各パケットデータの前には、遠隔局を、パケットデータの受信者として識別するヘッダフィールドが先行する。また、キャリア周波数のサブセットは、キャリア周波数のセットに基づく。１つの実施形態では、計算機読取可能媒体は、ＣＤ−ＲＯＭのようなディスクベースの媒体でありうる。１つの実施形態では、これら命令は遠隔局で実行されうる。
【００２８】
また、本発明の別の局面では、無線通信システム用の遠隔局が開示される。この遠隔局は、複数のキャリア周波数のうちの対応する数で、複数のビーコン信号を並行して受信する手段と、各ビーコン信号に基づいてチャネル品質を測定する手段と、測定されたチャネル品質を送る手段と、キャリア周波数のサブセットで、パケットデータを並行して受信する手段とを含む。各パケットデータの前には、遠隔局を、パケットデータの受信者として識別するヘッダフィールドが先行する。そこでは、キャリア周波数のサブセットは、複数のキャリア周波数のうちの対応する数からなるセットに基づく。１つの実施形態では、複数のビーコン信号を受信する手段は、図２Ａに示すような複数のＮ個の受信機を含むかもしれないし、あるいは、図２Ｂに示すような受信機２２２を含んでいるかもしれない。１つの実施形態では、チャネル品質を測定する手段は、図２Ａに示すようなＮ個の複数のチャネル品質測定ユニットを含んでいるかもしれないし、あるいは、図２Ｂの受信機２２２内の適切なデジタル回路を含んでいるかもしれない。１つの実施形態では、測定されたチャネル品質を基地局へ送る手段は、図２Ａに示すようなＮ個の複数のチャネル品質測定ユニットを含んでいるかもしれないし、あるいは、図２Ｂの受信機２２２内の適切なデジタル回路を含んでいるかもしれない。１つの実施形態では、パケットデータを受信する手段は、図２Ａに示すような複数のＮ個の受信機を含むかもしれないし、あるいは、図２Ｂに示すような受信機２２２を含んでいるかもしれない。
【００２９】
また本発明の別の局面では、遠隔局を含む無線通信システム用装置が開示される。この装置は、ビーコン信号を運ぶためのキャリア周波数のセットを、遠隔局への送信のために選択する手段と、ビーコン信号に基づいて、遠隔局から複数のチャネル品質報告を受信する手段と、チャネル品質報告に基づいて、キャリア周波数のセットからキャリア周波数のサブセットを選択する手段とを含む。キャリア周波数のサブセットは、遠隔局へパケットデータを並行して運び、各パケットデータの前には、遠隔局を、パケットデータの受信者として識別するヘッダフィールドが先行する。１つの実施形態では、キャリア周波数のセットを選択する手段は、制御プロセッサ３０２を含み、複数のチャネル品質報告を受信する手段は、受信機３０４を含み、キャリア周波数のサブセットを選択する手段は、制御プロセッサ３０２を含みうる。これらは全て図３に示されている。この装置が基地局コントローラである別の実施形態では、上述した手段の各々は、例えば制御プロセッサ３０２のような制御プロセッサによって形成されうる。
【００３０】
当該技術における熟練者であれば、これら情報および信号が、種々異なった技術や技法を用いて表されることを理解するであろう。例えば、上述した記載の全体で引用されているデータ、指示、命令、情報、信号、ビット、シンボル、およびチップは、電圧、電流、電磁波、磁場または磁性粒子、光学場または光学微粒子、あるいはこれら何れかの組み合わせによって表現されうる。
【００３１】
これら熟練者であれば、更に、ここで開示された実施形態に関連して記載された様々な説明的論理ブロック、モジュール、回路、およびアルゴリズムステップが、電子工学ハードウェア、コンピュータソフトウェア、あるいはこれらの組み合わせとして実現されることを理解するであろう。ハードウェアとソフトウェアとの相互互換性を明確に説明するために、様々に例示された部品、ブロック、モジュール、回路、およびステップが、それらの機能に関して一般的に記述された。それら機能がハードウェアとして又はソフトウェアとして実現されているかは、特定のアプリケーション及びシステム全体に課せられている設計制約に依存する。熟練した技術者であれば、各特定のアプリケーションに応じて変更した方法で上述した機能を実施しうる。しかしながら、この適用判断は、本発明の範囲から逸脱したものと解釈されるべきではない。ここで開示された実施形態に関連して記述された様々の説明的論理ブロック、モジュール、および回路は、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）あるいはその他のプログラマブル論理デバイス、ディスクリートゲートあるいはトランジスタロジック、ディスクリートハードウェア部品、又は上述された機能を実現するために設計された上記何れかの組み合わせを用いて実現又は実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはこのような任意の構成である計算デバイスの組み合わせとして実現することも可能である。
【００３２】
ここで開示された実施形態に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野で知られているその他の型式の記憶媒体に収納されうる。好適な記憶媒体は、プロセッサがそこから情報を読み取り、またそこに情報を書き込むことができるようにプロセッサに結合される。または、記憶媒体はプロセッサに統合されうる。このプロセッサと記憶媒体は、ＡＳＩＣ内に存在することができる。ＡＳＩＣは、ユーザ端末内に存在することもできる。あるいはこのプロセッサと記憶媒体は、ユーザ端末内のディスクリート部品として存在しうる。
【００３３】
開示された実施形態における上述の記載は、当該技術分野におけるいかなる人であっても、本発明の活用または利用を可能とするように提供される。これらの実施形態への様々な変形例もまた、当該技術分野における熟練者に対しては明らかであって、ここで定義された一般的な原理は、本発明の主旨または範囲を逸脱せずに他の実施形態にも適用されうる。このように、本発明は、ここで示された実施形態に制限されるものではなく、ここで記載された原理と新規の特徴に一致した最も広い範囲に相当するものを意図している。
【図面の簡単な説明】
【００３４】
【図１】図１は、無線通信システムの例である。
【図２Ａ】図２Ａは、本発明の実施形態に従った遠隔局である。
【図２Ｂ】図２Ｂは、本発明の別の実施形態に従った遠隔局である。
【図３】図３は、本発明の実施形態に従った基地局である。
【図４】図４は、本発明の実施形態に従って遠隔局と共に使用されうる処理のフロー図である。
【図５】図５は、本発明の実施形態に従った無線通信システム用の装置と共に使用されうる処理のフロー図である。
【図６】図６は、本発明の実施形態に従ったフレーム数の関数である複数のキャリア周波数のブロック図である。
【図７】図７は、本発明の周波数ホッピング実施形態に従ったフレーム数の関数である複数のキャリア周波数のブロック図である。
【図８】図８は、従来技術に従ったフレーム数の関数である複数のキャリア周波数のブロック図である。
【図１】
2008515360.tif 000003
【図２Ａ】
2008515360.tif 000004
【図２Ｂ】
2008515360.tif 000005
【図３】
2008515360.tif 000006
【図４】
2008515360.tif 000007
【図５】
2008515360.tif 000008
【図６】
2008515360.tif 000009
【図７】
2008515360.tif 000010
【図８】
2008515360.tif 000011
【国際調査報告】
2008515360.tif 000012
2008515360.tif 000013